(57)【特許請求の範囲】
【請求項１】
易剥離性を有する樹脂フィルムからなるヒートシール性を有するシール層が配置され、かつ、基材フィルムには、切断刃を基材フィルムにあてて、または、刃の付いたロールで切断線が設けられて積層される二層以上の複合フィルムからなり、少なくとも一辺のシール部の外方に未シール部分が突出した包装袋であって、
前記切断線が設けられた基材フィルムには切断線が２本以上あり、少なくとも２本の切断線はそれぞれ交わらないように設けられ、該切断線の延長に未シール部分が外方にあるシール部が有り、２本の切断線は交わらないままシール部と交差し、シール部の外方の未シール部分に至ることを特徴とする、中身の取り出し易い包装袋。
【請求項２】
前記未シール部分には、フィルム幅全体ないしは一部において、重なり合う複合フィルムの長さが異なることを特徴とする、請求項１記載の中身の取り出し易い包装袋。
【請求項３】
前記２本の切断線が、平行に設けられていることを特徴とする、請求項１又は２記載の中身の取り出し易い包装袋。
【請求項４】
前記２本の切断線が、シール部の外方の未シール部分に至るにしたがい、先細り状態に設けられていることを特徴とする、請求項１又は２記載の中身の取り出し易い包装袋。
【請求項５】
前記２本の切断線が、袋の先端縁から末端縁まで連続して設けられていることを特徴とする、請求項１、２、３又は４記載の中身の取り出し易い包装袋。
【請求項６】
請求項１、２、３、４又は５記載の包装袋を用いて内容物を収納した包装体。
【発明の詳細な説明】
【０００１】
【発明の属する技術分野】
本発明は、中身の取り出し易い包装袋及びそれを用いた包装体に関するもので、特には、直線的に切断が可能な中身の取り出し易い包装袋及びそれを用いた包装体に関する。
【０００２】
【従来の技術】
従来、ポテトチップスなどのスナック菓子に代表されるような物品を包装した包装袋は、内容物の変質を防ぐために外気を遮断して内容物の酸化を防止したり、遮光によりその促進を防止する機能を有している。また、内容物が保存中に吸湿したり、逆に乾燥したりして品質が劣化することを防止する機能も有している。
【０００３】
これらの包装袋は、内面に施されたシール層によって熱融着することで封止する方法が一般的に用いられている。従って、前述の包装袋の目的を達成するためには、このシール層は十分な密封性を有することが必要であり、また、輸送等の過程でこのシール部が剥がれないよう十分なヒートシール強度を有することが必要である。
【０００４】
しかしながら、内容物を保護するための過剰なヒートシール強度は逆に消費者が利用する際、容易に手で開封することができず、鋏み等の器具を使わなければならないことが少なくなかった。また、開封時に大きな力が必要となり、開封できたとしても、開封した瞬間に勢い余って内容物が飛び出してしまったり、開封界面が破壊されることにより美観的にも良いものではなかった。このような問題点から内容物を保護するための十分な密封性を保ち、かつ、手で容易に開封できる包装袋が提案されてきている。
【０００５】
中身の取り出し易い、易開封性の包装袋としては、例えば、図５、図６に示すような、包装袋が知られている。
前者は、切断線（ａ）が包装袋（２０）の上端縁近傍の表裏に設けられている形態である。比較的開口し易いが、切断線が袋の端部に設けられているので、内容物が取り出しにくいという問題がある。
また、後者は、切断線（ａ）が包装袋（２０）の中央部分に、袋の表側か裏側のどちらか一方に１本だけ設けられている形態である。内容物は取り出し易いが、切断線に沿って袋を引き裂いていった場合、曲がってしまうことが多く、開口しにくいという問題がある。
【０００６】
中身の取り出し易い、易開封性の技術としては、例えば、基材フィルムをカット幅にスリットしながらシーラント層と貼り合わせ、包装袋用の複合フィルムを作製し、製袋後、カット幅部分を引っ張るなどして包装袋を開封する技術（スナップオープン加工）や、易剥離性を有する樹脂をシーラント層に用いて包装袋を作製しシール部から開封する技術（易開封シーラント）等が知られている。
【０００７】
ところが前者はシール部が剥離しにくい、後者は直線カット性が得にくい、という問題がある。
【０００８】
【発明が解決しようとする課題】
本発明は、包装袋の中身の取り出し易さ、易開封性に関する以上のような問題点に着目してなされたもので、袋全体が直線的に容易に開封可能な中身の取り出し易い包装袋とそれを用いた包装体を提供することを課題とする。
【０００９】
本発明の請求項１の発明は、易剥離性を有する樹脂フィルムからなるヒートシール性を有するシール層が配置され、かつ、基材フィルムには、切断刃を基材フィルムにあてて、
または、刃の付いたロールで切断線が設けられて積層される二層以上の複合フィルムからなり、少なくとも一辺のシール部の外方に未シール部分が突出した包装袋であって、前記切断線が設けられた基材フィルムには切断線が２本以上あり、少なくとも２本の切断線はそれぞれ交わらないように設けられ、該切断線の延長に未シール部分が外方にあるシール部が有り、２本の切断線は交わらないままシール部と交差し、シール部の外方の未シール部分に至ることを特徴とする、中身の取り出し易い包装袋である。
【００１０】
このように請求項１の発明によれば、切断線が施された基材フィルムには切断線が２本以上あり、少なくとも２本の切断線はそれぞれ交わらないように設けられ、該切断線の延長に未シール部分が外方にあるシール部が有り、２本の切断線は交わらないままシール部と交差し、シール部の外側の未シール部分に至っているので、シール部の外方の未シール部分の複合フィルムを互いに開くようにして引き裂くことにより包装袋は切断線に沿って開封され、包装袋から容易に内容物を取り出すことができる。
２本の切断線の距離を適宜にとることにより、中身がより取り出しやすくなる。
【００１１】
また、請求項２の発明は、請求項１の発明において、前記未シール部分は、フィルム幅全体ないしは一部において、重なり合う複合フィルムの長さが異なることを特徴とする、中身の取り出し易い包装袋である。
【００１２】
このように、請求項２の発明によれば、未シール部分は、フィルム幅全体ないしは一部において、重なり合う複合フィルムの長さが異なるので、開封時に重なり合う２枚の複合フィルムを容易につかむことができる。
【００１３】
また、請求項３の発明は、請求項１又は２の発明において、前記２本の切断線が、平行に設けられていることを特徴とする、中身の取り出し易い包装袋である。
【００１４】
このように、請求項３の発明によれば、２本の切断線が、平行に設けられているので、２本の切断線にはさまれた未シール部分を切断線に沿って引き裂けば、包装袋は帯状に綺麗に開封することができる。
【００１５】
また、請求項４の発明は、請求項１又は２の発明において、前記２本の切断線が、シール部の外方の未シール部分に至るにしたがい、先細り状態に設けられていることを特徴とする、中身の取り出し易い包装袋である。
【００１６】
このように、請求項４の発明によれば、２本の切断線が、シール部の外方の未シール部分に至るにしたがい、先細り状態に設けられているので、２本の切断線にはさまれた未シール部分を切断線に沿って引き裂けば、包装袋は奥に行くにしたがい幅広に開封して内容物がより取り出し易くなる。
【００１７】
また、請求項５の発明は、請求項１、２、３又は４の発明において、前記２本の切断線が、袋の先端縁から末端縁まで連続して設けられていることを特徴とする、中身の取り出し易い包装袋である。
【００１８】
このように、請求項５の発明によれば、２本の切断線が、袋の先端縁から末端縁まで連続して設けられているので、切断線に沿って最後まで綺麗に開封することができる。
【００１９】
また、請求項６の発明は、請求項１、２、３、４又は５記載の包装袋を用いて内容物を収納した包装体である。
【００２０】
【発明の実施の形態】
本発明の中身の取り出し易い包装袋を一実施形態に基づいて以下に詳細に説明する。
本発明の中身の取り出し易い包装袋（１０）は、例えば、図１、図２に示すように、最内層にヒートシール性を有するシール層（１０１）が配置され、かつ、少なくとも基材フィルム（１０２）には複数の切断線（ａ、ａ）が設けられて積層される二層以上の複合フィルム（１００）からなる層構成を有する。
【００２１】
そして、少なくとも一辺のシール部（１１）の外方に未シール部分（１２）が突出した包装袋（１０）で、前記切断線が設けられた基材フィルム（１０２）には切断線が２本以上あり、少なくとも２本の切断線（ａ、ａ）はそれぞれ交わらないように設けられ、該切断線の延長に未シール部分の複合フィルムが外方にあるシール部（１１）が有り、２本の切断線（ａ、ａ）は交わらないままシール部（１１）と交差し、シール部の外方の未シール部分（１２）に至る構造を有している。
【００２２】
複合フィルム（１００）を構成するシール層（１０１）としては、熱封緘性とともに易剥離性を有するフィルムであれば良く、ポリエチレン（ＰＥ）、未延伸ポリプロピレン（ＣＰＰ）等のフィルムが好ましく使用でき、アルミニウム蒸着未延伸ポリプロピレンフィルムのような蒸着層を含んでも良い。
【００２３】
基材フィルム（１０２）としては、例えば、二軸延伸ポリプロピレン（ＯＰＰ）、ポリエチレンテレフタレート（ＰＥＴ）、ナイロン（Ｎｙ）等のプラスチックフィルムが好ましい。延伸されたプラスチックフィルムは引き裂き時に方向性がでるため、さらに好ましい。
【００２４】
基材フィルム（１０２）とシール層（１０１）の間に図２に示すような中間層（１０３）を設けても良い。中間層は、例えば包装袋にさらにバリア性等を付与させる場合に設けることがある。
中間層（１０３）は一層に限定されるものではなく、多層構成であっても構わない。中間層に用いるフィルムも特に限定されることはなく、必要に応じて公知の各種のフィルムを使用することができる。
【００２５】
基材フィルム（１０２）に複数の切断線（ａ、ａ）を設ける方法としては、ドライラミネータや押し出しラミネータ上で、例えば、かみそりのような切断刃を基材フィルム（１０２）にあてて、その直後にシール層（１０１）と複合する方法（この場合、切断線は互いに平行になる）や、印刷時に絵柄と同調させて複数の切断線（ａ、ａ）を設ける方法（この場合は、切断線は互いに平行になったり、平行でなくすることが可能）、すなわち、フィルムの印刷は通常、ウェブを燐点印刷機に通して行うので、絵柄に合わせて刃の付いたロールで切断線を設けることができる。これは、設備上オフラインで行うことも可能であるが、工程数を考慮するとインラインで行う方がコスト的に有利である。さらにインラインでドライラミネート法や押し出しラミネート法によりシール層（１０１）と積層するとより有利である。
【００２６】
未シール部分で切断線の入っていないフィルム側に幅を狭めた部分を設ける方法としては、例えば、製袋機上で、巻き出したフィルムをパンチで抜いた後、表裏のフィルムを重ね合わせシールすることによって得られる。
【００２７】
上述の基材フィルム（１０２）に切断線（ａ）を設ける方法は、基材フィルムと中間層（１０３）を貼り合わせた二層フィルムについても適用できる。
【００２８】
包装袋の形態は、二方シール袋、三方シール袋、背シール袋、ガゼット袋、スタンディングパウチ等いずれの形態であっても可能である。
また、図３、図４にその一例を示すように、使用状態等により各種の使い方が可能になる。
例えば、図３において、（ａ）は２本の切断線を平行に設けた状態を示し、（ｂ）は未シール部分を包装袋の両端に設けた状態を示し、（ｃ）は切断線を３本設け、うち１本は途中で止めた状態を示し、（ｄ）は未シール部分の一方のフィルムの長さをもう一方のフィルムの長さより短くした状態を示している。なお、図３においては、包装袋はすべて三方シール袋である。
【００２９】
いずれの包装形態においても、出来上がった包装袋の未シール部分の重なり合った複合フィルムを互いに開くように引き裂くことにより包装袋は切断線に沿って開封され、容易に内容物を取り出すことができる。
【００３０】
【発明の効果】
上記のように、本発明の中身の取り出し易い包装袋は、基材フィルムを切断幅にスリット後、シール層である易剥離性を有する樹脂フィルムと積層しているので、出来上がった包装袋は、任意の幅で容易に開口でき、しかも中身が取り出し易い。
さらに、この包装袋を使用して内容物を収容した包装体は、中身の取り出し易い包装体となる。
【図面の簡単な説明】
【図１】本発明の中身の取り出し易い包装袋の一実施例を示す、模式説明図である。
【図２】本発明の中身の取り出し易い包装袋を構成する複合フィルムの層構成の一実施例を示す、断面説明図である。
【図３】（ａ）〜（ｄ）は、本発明の中身の取り出し易い包装袋の別の実施例を示す、模式説明図である。
【図４】（ａ）〜（ｃ）は、本発明の中身の取り出し易い包装袋のさらに別の包装形態示す説明図で、（ａ）は二方シール袋、（ｂ）はガゼット袋、（ｃ）はスタンディングパウチを示している。
【図５】従来の中身の取り出し易い包装袋の一例を示す、模式説明図である。
【図６】従来の中身の取り出し易い包装袋の別の一例を示す、模式説明図である。
【符号の説明】
１０‥‥包装袋
１１‥‥シール部
１２‥‥未シール部分
２０‥‥包装袋
１００‥‥複合フィルム
１０１‥‥シール層
１０２‥‥基材フィルム
１０３‥‥中間層
ａ‥‥切断線
【図１】
0003918507.tif 000002
【図２】
0003918507.tif 000003
【図３】
0003918507.tif 000004
【図４】
0003918507.tif 000005
【図５】
0003918507.tif 000006
【図６】
0003918507.tif 000007